(57)【特許請求の範囲】
【請求項１】
直線状の溝が形成された下地材の表面を防水する防水構造であって、
前記溝の深さとほぼ同じ深さに窪んだ窪みと、この窪みの両側に設けられた平板状の鍔とからなる長尺体の溝部取付材と、平板状の防水材と、平らな上面と、下面のほぼ中央に溝部取付材の窪みの深さとほぼ同じ長さに下方に突出した突出部とを有する長尺体のカバー材とからなり、
前記溝部取付材が、窪みを下地材の溝の中に挿入し、鍔を溝の周縁部の下地材に載せた状態に、取り付けられ、前記防水材が、側縁部を窪みの縁から窪みの中に突出させた状態に、下地材と溝部取付材の鍔の上に、取り付けられ、前記カバー材が、突出部を窪みの中に挿入し、両側縁部を防水材の側縁部の上に載せた状態に、取り付けられているとともに、
前記溝部取付材の鍔と前記防水材の側縁部との間と、前記防水材の側縁部と前記カバー材の間とにシール材が設けられていることを特徴とする防水構造。
【請求項２】
直線状の溝が形成された下地材の表面を防水する防水構造であって、
前記溝の深さとほぼ同じ深さに窪んだ窪みと、この窪みの両側に設けられた平板状の鍔と、この窪みのほぼ中央に窪みの深さとほぼ同じ高さに上方に突出した突出部とからなる長尺体の溝部取付材と、平板状の防水材と、平板状長尺体のカバー材とからなり、
前記溝部取付材が、窪みを下地材の溝の中に挿入し、鍔を溝の周縁部の下地材に載せた状態に、取り付けられ、前記防水材が、側縁部を窪みの縁から窪みの中に突出させた状態に、下地材と溝部取付材の鍔の上に、取り付けられ、前記カバー材が、中央部を溝部取付材の突出部に載せ、両側縁部を防水材の側縁部の上に載せた状態に、取り付けられていることを特徴とする防水構造。
【請求項３】
前記溝部取付材の鍔と前記防水材の側縁部との間と、前記防水材の側縁部と前記カバー材の間とにシール材が設けられていることを特徴とする請求項２記載の防水構造。
【発明の詳細な説明】
【０００１】
【発明の属する技術分野】
本発明は屋根やバルコニーの床や外壁等の防水構造に関し、特にバルコニーの床に好適な防水構造に関する。
【０００２】
【従来の技術】
従来、屋根やバルコニーの床や外壁等の防水構造としては種々知られている。例えば、実公昭５５−１３５２１号公報や特開平１０−１１４９９７号公報には、バルコニー床梁の上に防水材（上記公報では床水切り板や不透水性床材と記載されている）を取り付けたバルコニー床の防水構造が記載されている。
又、特開平９−２０９５１２号公報や特許第２９８７７４６号には、屋根、バルコニー、外壁等の直線状の溝が形成された下地材の表面を防水する防水構造が記載されている。
【０００３】
即ち、特開平９−２０９５１２号公報の防水構造は、溝の深さとほぼ同じ深さに窪んだ断面コ字形の窪みと、この窪みの両側に設けられた平板状の鍔とからなる長尺体の溝部取付材と、この溝部取付材の窪みの中に挿入可能で、中央部に係合凹部を有する長尺体の保持材と、平板状の防水材と、下面に嵌合凸部が設けられた長尺体の結合部とからなり、溝部取付材が、窪みを溝の中に挿入し、鍔を溝の周縁部の下地材に載せた状態に、取り付けられ、保持材が、溝部取付材の窪みの中に挿入され、防水材が、端面を保持材の係合凹部の上方で対峙させ、この対峙する端面間に若干隙間を設けた状態に、取り付けられ、結合材が、両側を防水材の側縁部に重ね、係合凸部を防水材の対峙している端面の間から窪みの中に挿入し、この嵌合凸部を保持材の係合凹部に嵌合させた状態に、取り付けられている構造をしている。
【０００４】
又、特許第２９８７７４６号の防水構造は、下地材を覆う防水材には、一側縁部に、溝の内側に沿う形状の断面コ字形の窪みと、この窪みの先端側に設けられた平板状の鍔と、この窪みの中に窪みの深さとほぼ同じ長さに立上された立ち上がり部と、この立ち上がり部の先端に設けられたほぼ水平な水平部とからなる板端受け部とが設けられ、他側縁部に、先端から下方にほぼ直角に折曲した状態に延設されたＶ字状部と、前記板端受け部に引っ掛け可能な引掛部とが設けられていて、防水材が、窪みを溝部の中に挿入した状態に取り付けられ、隣の防水材が、既に取り付けられている防水材の窪みの中に設けられている板端受け部に、引掛部を引っ掛けた状態に、取り付けられている構造をしている。
【０００５】
【発明が解決しようとする課題】
しかし、実公昭５５−１３５２１号公報や特開平１０−１１４９９７号公報に記載されているバルコニーの床の防水構造は、床面積が比較的小さく、１枚の防水材を取り付けるだけで、バルコニーの床を防水構造にする場合には極めて好適であるが、バルコニーの床面積が大きくなると、複数の防水材を接続する必要があり、この防水材の接続部分から雨水が漏れるという問題がある。
【０００６】
そこで、この防水材の重ねられている接続部分を防水するために、この重合された防水材の間にシール材を設けて防水しようとしたが、長年月使用している間にシール材が劣化することと、防水材が夏冬の温度差によって膨張収縮を繰り返すこととで、このシール材に亀裂が入り、重合されている防水材の間から雨水が漏れ出すことが判明した。
【０００７】
又、特開平９−２０９５１２号公報や特許第２９８７７４６号に記載されている防水構造は、下地材に溝を設け、この溝の中に樋とほぼ同じ作用をする窪みのある長尺体を設けていて、防水材の上に降った雨水を窪みの中に流れ込むようにしているので、防水材が膨張収縮しても、雨水が漏れず好ましい構造である。
【０００８】
しかし、上記特開平９−２０９５１２号公報に記載されている防水構造では、溝部取付材と保持材と防水材と結合部とからなるように、多くの部材が必要であり、しかも、この部材が、例えば、係合凸部や嵌合凹部を設けるというように、複雑な形状をしていて、製造が困難である。又、この防水構造は屋根や外壁等のように人が殆ど載らない場所を防水する防水構造としては好適であるが、この防水構造をバルコニーの床のように人が度々載る床に適用すると、溝の上方の結合材の上に人が載ったときに、結合材の嵌合凸部が保持材の係合凹部の中を上下に移動し不安定であり、更に、重い人が載ったり、上下に度々移動していると、下方に移動した結合材が元の形状に戻らなくなり、この部分に窪みが生じ、水溜まりが発生するという問題がある。
【０００９】
又、特許第２９８７７４６号に記載されている防水構造では、防水材の一側縁部に、窪みと鍔と立ち上がり部と板端受け部とを設け、他側縁部に、Ｖ字状部と引掛部とを設けるというように、複雑な形状の防水材を必要とし、製造し難く不便であると同時に、この防水材は複雑な形状をしていて嵩張るので、防水材の運搬に多くのスペースが必要であり、運搬費用が高くなるという問題がある。又、この防水構造をバルコニーの床に適用すると、防水材と隣の防水材のＶ字状部と間に隙間が形成されるので、この上に人工芝等を敷いても、この部分が窪み醜悪となる。
【００１０】
そこで、本発明の目的は、防水材が膨張収縮しても雨水の漏れない溝が形成された下地材を防水する防水構造であって、部材数が少なく、部材や防水材を複雑な形状にする必要がなく、しかも、溝の上方に人が載っても窪まない防水構造を提供することである。
【００１１】
【課題を解決するための手段】
本発明は上記目的を達成するためになしたものであって、請求項１記載の発明は、直線状の溝が形成された下地材の表面を防水する防水構造であって、前記溝の深さとほぼ同じ深さに窪んだ窪みと、この窪みの両側に設けられた平板状の鍔とからなる長尺体の溝部取付材と、平板状の防水材と、平らな上面と、下面のほぼ中央に溝部取付材の窪みの深さとほぼ同じ長さに下方に突出した突出部とを有する長尺体のカバー材とからなり、前記溝部取付材が、窪みを下地材の溝の中に挿入し、鍔を溝の周縁部の下地材に載せた状態に、取り付けられ、前記防水材が、側縁部を窪みの縁から窪みの中に突出させた状態に、下地材と溝部取付材の鍔の上に、取り付けられ、前記カバー材が、突出部を窪みの中に挿入し、両側縁部を防水材の側縁部の上に載せた状態に、取り付けられているものである。
【００１２】
請求項２記載の発明は、直線状の溝が形成された下地材の表面を防水する防水構造であって、前記溝の深さとほぼ同じ深さに窪んだ窪みと、この窪みの両側に設けられた平板状の鍔と、この窪みのほぼ中央に窪みの深さとほぼ同じ高さに上方に突出した突出部とからなる長尺体の溝部取付材と、平板状の防水材と、平板状長尺体のカバー材とからなり、前記溝部取付材が、窪みを下地材の溝の中に挿入し、鍔を溝の周縁部の下地材に載せた状態に、取り付けられ、前記防水材が、側縁部を窪みの縁から窪みの中に突出させた状態に、下地材と溝部取付材の鍔の上に、取り付けられ、前記カバー材が、中央部を溝部取付材の突出部に載せ、両側縁部を防水材の側縁部の上に載せた状態に、取り付けられているものである。
【００１３】
さらに、本発明は、上記した発明に係り、前記溝部取付材の鍔と前記防水材の側縁部との間と、前記防水材の側縁部と前記カバー材の間とにシール材が設けられているものである。
【００１４】
（作用）
請求項１記載の発明では、防水材が、側縁部を窪みの縁から窪みの中に突出させた状態にして、下地材と溝部取付材の鍔の上に、取り付けられているので、防水材の上に降った雨水は、窪みの中に突出している防水材の先端から溝部取付材の窪みの中に落下する。
しかも、この防水材の側縁部は窪みの中に突出しているので、防水材が熱膨張収縮しても、この窪みの中に突出している長さが長くなったり、短くなるだけである。従って、長年月使用しても防水効果が低下しない。
【００１５】
又、請求項１記載の発明に使用する溝部取付材は、溝の深さとほぼ同じ深さに窪んだ窪みと、この窪みの両側に設けられた平板状の鍔とからなる。
そして、この請求項１記載の発明では、この溝部取付材が、窪みを下地材の溝の中に挿入し、鍔を溝の周縁部の下地材に載せた状態に、取り付けられている。
従って、この取り付けられた溝部取付材は、窪みの下面が溝の底面に沿い、鍔が溝の周縁部の下地材の表面に沿った状態になっていて、上方から溝部取付材に力が加わっても窪みや鍔が下方に移動しないようになっている。
【００１６】
又、請求項１記載に使用するカバー材は、平らな上面と、下面のほぼ中央に溝取付材の窪みの深さとほぼ同じ長さに下方に突出した突出部とを有する。
そして、この請求項１記載の発明では、このカバー材が、突出部を窪みの中に挿入し、両側縁部を防水材の側縁部の上に載せた状態に、取り付けられている。このようになっているので、カバー材は、両側縁部が、下地材に下方に移動しないように載っている鍔とその上の防水材の上に載せられて支持され、中央部の突出部が、下方に移動しないように取り付けられている溝部取付材の底面に載せられて支持されていて、溝の上方のカバー材の上に人が載っても窪まないようになっている。
【００１７】
又、カバー材の上面は平らであり、しかも、カバー材の両側縁部が防水材の側縁部の上に載っていて、平板状の防水材と、カバー材の上面とは、カバー材の厚みだけの凹凸があるがこの凹凸は小さく、床面全体がほぼ平らな面となっていて歩き易い。
このように、この請求項１記載の防水構造は、溝の上に人が載っても窪まないし、床面が平らで歩き易くバルコニーの床に好適な防水構造である。
又、この請求項１記載の防水構造に使用する部材は、溝部取付材、防水材、カバー材というように、特開平９−２０９５１２号公報に記載されている防水構造に使用する部材より数が少なく、しかも、この使用する部材が簡単な構造をしていて製造し易く便利であるし、防水材は平板状で運搬し易い。
【００１８】
請求項２記載の発明では、防水材が、側縁部を窪みの縁から窪みの中に突出させた状態にして、下地材と溝部取付材の鍔の上に、取り付けられているので、防水材の上に降った雨水は窪みの中に突出している先端から溝部取付材の窪みの中に落下する。
しかも、この防水材の側縁部は窪みの中にほぼ水平に突出しているので、防水材が熱膨張収縮しても、この窪みの中に突出している長さが長くなったり、短くなるだけである。従って、長年月使用しても防水効果が低下しない。
【００１９】
又、請求項２記載の発明に使用する溝部取付材は、溝の深さとほぼ同じ深さに窪んだ窪みと、この窪みの両側に設けられた平板状の鍔と、この窪みのほぼ中央に窪みの深さとほぼ同じ高さに上方に突出した突出部とからなる。
そして、請求項２記載の発明では、この溝部取付材が、窪みを下地材の溝の中に挿入し、鍔を溝の周縁部の下地材に載せた状態に、取り付けられている。
従って、この取り付けられた溝部取付材は、窪みの下面が溝の底面に沿い、鍔が溝の周縁部の下地材の表面に沿った状態になっていて、上方から溝部取付材の鍔部、窪みの底面や、窪みから突出している突出部に力が加わっても移動しないようになっているし、突出部は鍔とほぼ同じ高さになっている。
【００２０】
請求項２記載の発明に使用するカバー材は平板状長尺体である。
そして、請求項２記載の発明では、このカバー材が、中央部を溝取付部材の突出部に載せ、両側縁部を防水材の側縁部の上に載せた状態に、取り付けられている。
このようになっているので、カバー材は、両側縁部が、下地材に下方に移動しないように載っている鍔とその上の防水材の側縁部に支持され、中央部が、溝取付部材の鍔とほぼ同じ高さに突出していて、下方に移動しない突出部に支持されていて、下地材の溝の上方のカバー材の上に人が載っても窪まないようになっている。尚、防水材の両側縁部と中央部との高さは防水材の厚みだけ異なるが、この差は小さく問題にならない。
【００２１】
又、カバー材の上面は平らであり、しかも、カバー材の両側縁部を防水材の側縁部の上に載っていて、平板状の防水材と、カバー材の上面とは、カバー材の厚みだけの凹凸があってもこの凹凸はきわめて小さく、床面全体がほぼ平らな面となっていて歩き易い。
このように、この請求項２記載の防水構造は、溝部の上に人が載っても窪まないし、床面が平らで歩き易いバルコニーの床に好適な防水構造である。
又、この請求項２記載の防水構造に使用する部材は、溝部取付材、防水材、カバー材というように、特開平９−２０９５１２号公報に記載されている防水構造に使用する部材より数が少なく、しかも、この使用する部材が簡単な構造をしていて製造し易く便利であるし、防水材は平板状で運搬し易い。
【００２２】
さらに、本発明では、上記した発明に係り、前記溝部取付材の鍔と前記防水材の側縁部との間と、前記防水材の側縁部と前記カバー材の間とにシール材が設けられているので、この溝部取付材の鍔と防水材の側縁部との間と、防水材の側縁部とカバー材の間の防水性能が更に向上するし、防水材が移動しなくなる。
【００２３】
しかも、長年月使用している間にシール材が劣化してこのシール材に亀裂が生じても、この亀裂を通して浸入する雨水は溝部取付材の窪みの中に落下するので下地材まで漏れることがないし、この亀裂から浸入する雨水は少なく、従って、大雨のときでも、溝部取付材の窪みの中の雨水が溢れるということがない。
【００２４】
【発明の実施の形態】
次に、本発明の実施の形態を実施例で説明する。
（実施例１）
図１〜図６は本発明をユニット建物に採用した一実施例を示すもので、図１はユニット建物を示す斜視図、図２は建物ユニットを示す一部切欠斜視図、図３は図１のＡ−Ａ線における断面図、図４はバルコニー床の溝部分を構成部材に分解した状態を示す断面図、図５は溝部取付材の斜視図、図６はカバー材の斜視図である。
【００２５】
図１〜図６において、Ｕはユニット建物であり、このユニット建物Ｕは、図１に示すように、基礎９９の上に９個の建物ユニット１が据え付けられて１階が形成され、この１階の建物ユニット１の上に９個の建物ユニット１が据え付けられて２階が形成され、この２階の建物ユニット１の上に屋根パネル２が取り付けられ、２階の開口部３の屋外側にバルコニー４が取り付けられたものである。
【００２６】
このとき使用する建物ユニット１は、図２に示すように、矩形の四隅に立設された４本の鋼製の四角筒体の柱１１と、この４本の柱１１の下端部を矩形の辺に沿って連結した４本の鋼製の断面コ字形長尺体の床梁１２と、この４本の柱１１の上端部を矩形の辺に沿って連結した４本の鋼製の断面コ字形長尺体の天井梁１３とからなる骨格を備えている。
【００２７】
そして、この建物ユニット１は、この骨格の対向する長辺の床梁１２、１２に複数本の鋼製の四角筒体の床小梁１５がほぼ平行に差し渡されて取り付けられ、この床小梁１５の上に木製の床根太１６が取り付けられ、この上にパーチクルボードの床材１４が取り付けられて床が形成され、対向する長辺の天井梁１３、１３に複数本の木製の天井野縁１７がほぼ平行に差し渡されて取り付けられ、この天井野縁１７の下面に石膏ボードの天井材１８が取り付けられて天井が形成され、外壁を設ける場所には、床梁１２と天井梁１３との間に間柱１９が取り付けられ、この間柱１９の屋外側と屋内側に外壁パネルと、内壁パネルとが取り付けられ、この外壁パネルと内壁パネルの間にガラスウールの断熱材が設けられて壁が形成されたものである。
【００２８】
開口部３には、窓３１が取り付けられていて、この窓３１を開いて、バルコニー４に出入可能になっている。
バルコニー４は、図３に示すように、ほぼ矩形状に組み立てられた鋼製の断面コ字形長尺体のバルコニー床梁４１と、この対向するバルコニー床梁４１に複数本の鋼製の四角筒体のバルコニー床小梁４２が屋外方向に傾斜した状態に差し渡されて取り付けられ、このバルコニー床小梁４２の上に木製の床根太４３が取り付けられ、この床根太４３の上にバルコニー床４４が設けられ、屋外側のバルコニー床梁４１に手摺り４５が取り付けられ、バルコニー床小梁４２の屋外側には樋４６が取り付けられたものである。又、バルコニー床４４の下方には軒天井４８が設けられている。
【００２９】
そして、このバルコニー４は、図１に示すように、屋内側が開口部３の屋外側に取り付けられ、屋外側が支柱４９に支持されていて、この支柱４９に沿って縦樋４７が取り付けられ、この縦樋の先端は前記樋４６に接続されている。
バルコニー床４４は、図４に示すように、床根太４３の上に取り付けられた下地材５と溝部取付材６と防水材７とカバー材８と床仕上げ材９とからなる。
【００３０】
下地材５は、床根太４３の上に取り付けられた合板の下側下地材５１と、この下側下地材５１の上に、ほぼ中央に隙間を設けて取り付けられた合板の上側下地材５２と、この上側下地材５２の隙間に形成された溝５３とからなる。
溝部取付材６は、塩化ビニル樹脂被覆鋼板であり、図５に示すように、窪み６１と鍔６２と壁取付部６３と水切り６４とからなる。
【００３１】
窪み６１は、下地材５の溝５３の中に挿入可能で、この溝５３の深さとほぼ同じ深さに窪んだ断面コ字形をしている。又、鍔６２は平板状をしていて、この窪み６１の両側に設けられている。そして、この窪み６１と鍔６２とは塩化ビニル樹脂被覆鋼板をΩ形に折曲して製造した断面Ω形長尺体であり、この長尺体の長さは下地材５の屋外側から屋内側までとほぼ等しい。
【００３２】
壁取付部６３は、窪み６１と鍔６２とからなる長尺体の屋内側に立設され、溶接で長尺体に取り付けられている。
水切り６４は、窪み６１から延設されたものであり、窪み６１の屋外側から垂れ下げられている。
防水材７は、平板状の塩化ビニル樹脂被覆鋼板である。
【００３３】
カバー材８は、図６に示すように、本体８１と壁取付部８２とからなる。
本体８１は、図４、図６に示すように、塩化ビニル樹脂被覆金属板を折曲して製造したものであって、下面のほぼ中央に溝部取付材６の窪み６１とほぼ同じ高さに下方断面コ字形に突出した突出部８１１と、平らな上面８１２とを有する下地材５の屋外側から屋内側までとほぼ等しい長さの長尺体である。
【００３４】
壁取付部８２は本体８１の屋内側に立設され、溶接で本体８１に取り付けられている。
床仕上げ材９は合成樹脂製の人工芝である。
９５はシール材である。
屋根パネル２は従来とほぼ同じであるので説明を省略する。
【００３５】
次に、このユニット建物の施工方法について説明する。
図２に示すように、工場で、矩形の四隅に４本の柱１１を立設し、この４本の柱１１の下端部を４本の床梁１２で連結し、４本の柱１１の上端部を４本の天井梁１３で連結して建物ユニット１の骨格を製造する。
【００３６】
そして、この建物ユニット１の骨格の対向する長辺の床梁１２、１２に複数本の床小梁１５をほぼ平行に差し渡して取り付け、この床小梁１５の上に床根太１６を取り付け、この上に床材１４を取り付けて床を形成し、対向する長辺の天井梁１３、１３に複数本の天井野縁１７をほぼ平行に差し渡して取り付け、この天井野縁１７の下面に天井材１８を取り付けて天井を形成し、外壁を設ける場所には、床梁１２と天井梁１３との間に間柱１９を取り付け、この間柱１９の屋外側と屋内側に外壁パネルと、内壁パネルを取り付け、この外壁パネルと内壁パネルの間にガラスウールの断熱材を設けて壁を形成し、種々な仕上げを行うと建物ユニット１が完成する。
【００３７】
尚、この際、バルコニー４を取り付ける建物ユニット１には開口部３を設け、この開口部３に窓３１を取り付ける。
又、屋根パネル２を製造する。
又、バルコニー床梁４１をほぼ矩形状に組み立て、この対向するバルコニー床梁４１にバルコニー床小梁４２を屋外方向に傾斜した状態に差し渡して取り付け、このバルコニー床小梁４２の上に床根太４３を取り付け、この床根太４３の上にバルコニー床４４を取り付け、屋外側のバルコニー床梁４１に手摺り４５を取り付け、バルコニー床小梁４２の屋外側に樋４６を取り付けてバルコニー４を製造する。
【００３８】
この際のバルコニー床４４の施工方法について説明する。
図４に示すように、床根太４３の上に下側下地材５１を取り付け、この下側下地材５１の上に、ほぼ中央に隙間を設けて上側下地材５２を取り付けて、この隙間に溝５３を形成した状態に、下地材５を設ける。
一方、塩化ビニル被覆鋼板を、図５に示すように、断面コ字形に折り曲げて窪み６１と鍔６２とからなる長尺体とし、窪み６１の屋外側先端を下方に折り曲げて水切り６４を形成し、屋内側端部に壁取付部６３を溶接して取り付けて溝部取付材６を製造する。
【００３９】
又、塩化ビニル樹脂被覆鋼板を、図６に示すように、折り曲げて、突出部８１１と上面８１２とからなる本体８１とし、この屋内側端部に壁取付部８２を溶接して取り付けてカバー材８を製造する。
そして、壁取付部６３を屋内側に立設させ、水切り６４を屋外側に垂下させ、図４に示すように、窪み６１を下地材５の溝５３の中に挿入し、鍔６２を溝５３の周縁部の下地材５に載せて、溝部取付材６を下地材５に取り付ける。
この水切り６４の下方に軒樋４６を取り付ける。
【００４０】
次に、溝部取付材６の鍔６２の上にシール材９５を塗布し、防水材７を上側下地材５２の上に取り付ける。
この際、図４に示すように、防水材７の側縁部を、溝部取付材６の鍔６２の上を通って窪み６１の中にほぼ水平に突出させ、シール材９５の上から防水材７の側縁部を溝部取付材６の鍔６２に押し付けて防水材７を溝部取付材６に接着する。
【００４１】
次に、防水材７の側縁部にシール材９５を塗布し、カバー材８を取り付ける。この際、カバー材８の突出部８１１を溝部取付材６の窪み６１の中に挿入し、突出部８１１の両側縁部をシール材９５の上から防水材７の側縁部に押し付けて、カバー材８を防水材７に接着する。
この防水材７とカバー材８の上に床仕上げ材９を敷いて、バルコニー床４４を製造する。
このようにして製造した建物ユニット１、屋根パネル２、バルコニー４を施工現場に運搬する。
【００４２】
施工現場では、予め設けられている基礎９９の上に９個の建物ユニット１を据え付けて１階を形成し、この１階の建物ユニット１の上に９個の建物ユニット１を据え付けて２階を形成し、この２階の建物ユニット１の上に屋根パネル２を取り付ける。
又、１階の天井梁１３に屋内側のバルコニー床４１を取り付け、屋外側に支柱４９を立設し、この支柱に屋外側のバルコニー床４１を取り付けて、２階の開口部３の屋外側にバルコニー４を取り付ける。
【００４３】
すると、壁取付部６３、８２が壁面に沿うので、この部分にシール材を取り付けてシールする。
更に、バルコニー床４４の防水材７と壁面との隙間をシールしたり、軒樋４６に縦樋４７を取り付けたり、種々な仕上げを行うとユニット建物Ｕが完成する。
【００４４】
このようにして完成したユニット建物Ｕでは、防水材７が、側縁部を窪み６１の縁から窪み６１の中にほぼ水平に突出させた状態にして、下地材５と溝部取付材６の鍔６２の上に、取り付けられているので、防水材７の上に降った雨水は溝部取付材６の窪み６１の中に落下し、この窪み６１の中を流れ、水切り６４から樋４６、縦樋４７を経て地上に流れ落ちる。
そして、この防水材７の側縁部は窪み６１の中にほぼ水平に突出しているので、防水材７が熱膨張収縮しても、この窪みの中に突出している長さが長くなったり、短くなるだけである。従って、長年月使用しても防水効果が低下しない。
【００４５】
又、溝部取付材６が、窪み６１を下地材５の溝５３の中に挿入し、鍔６２を溝５３の周縁部の下地材５に載せた状態に、取り付けられているので、上方から溝部取付材６に力が加わっても窪み６１や鍔６２が下方に移動しないようになっている。
そして、カバー材８は、突出部８１１を窪み６１の中に挿入し、両側縁部を防水材５の側縁部の上に載せた状態に、取り付けられているので、カバー材８は、両側縁部が防水材７の上に載せられて下方に移動しないように支持され、又、ほぼ中央に設けられている突出部８１１の先端が、下方に移動しない溝部取付材６の窪み６１の底面に当接して下方に移動しないように支持されている。
【００４６】
このようになっているので、この溝５３の上方のカバー材８の上に人が載っても窪まない。
又、カバー材８の上面はほぼ平らで、しかも、カバー材８の両側縁部が防水材５の側縁部の上に載っていて、平板状の防水材５と、カバー材８の上面とは、カバー材８の厚みだけの凹凸があるがこの凹凸はきわめて小さく、床面全体がほぼ平らな面となっていて歩き易い。特に、床仕上げ材９を敷いていると、この凹凸が隠れて床仕上げ材９の上は歩き易くなる。
【００４７】
又、このバルコニー床４４の防水構造に使用する部材は、溝部取付材６、防水材７、カバー材８というように、種類が少なく、しかも、この使用する部材が簡単な構造をしていて製造し易く便利である。
又、溝部取付材６の鍔６２と防水材７の側縁部との間と、防水材７の側縁部とカバー材８の間とにシール材９５が設けられているので、この溝部取付材６の鍔６２と防水材７の側縁部との間と、防水材５の側縁部とカバー材８の間の防水性能が更に向上するし、防水材７が移動しなくなる。
【００４８】
しかも、長年月使用している間に、シール材９５が劣化してこのシール材９５に亀裂が生じても、この亀裂を通して浸入する雨水は溝部取付材６の窪みの中に落下するので下地材５まで漏れることがないし、この亀裂から浸入する雨水は少なく、従って、大雨のときでも、溝部取付材６の窪みの中の雨水が溢れるということがない。
尚、この実施例１では、突出部８１１を１条設けているが、２条以上設けてもよい。
【００４９】
（実施例２）
図７〜図９は本発明の他の一実施例を示すもので、図７はバルコニー床の溝部分を構成部材に分解した状態を示す断面図、図８は溝部取付材の斜視図、図９はカバー材の斜視図である。
【００５０】
この図７〜図９に示す実施例２を図１〜図６に示す実施例１と比較すると、バルコニー床４４ａの構造が異なり、その他は、ほぼ同じであるので、このバルコニー床４４ａの構造について説明し、その他の構造の説明を省略する。
【００５１】
バルコニー床４４ａは、図７に示すように、床根太４３ａの上に取り付けられた下地材５ａと溝部取付材６ａと防水材７ａとカバー材８ａと床仕上げ材９ａとからなる。
下地材５ａは、床根太４３ａの上に取り付けられた合板の下側下地材５１ａと、この下側下地材５１ａの上に、ほぼ中央に隙間を設けて取り付けられた合板の上側下地材５２ａと、この上側下地材５２ａの隙間に形成された溝５３ａとからなる。
【００５２】
溝部取付材６ａは、塩化ビニル樹脂被覆鋼板製で、図８に示すように、窪み６１ａと突出部６９ａと鍔６２ａと壁取付部６３ａと水切り６４ａとからなる。
窪み６１ａは、下地材５ａの溝５３ａの中に挿入可能で、この溝５３ａの深さとほぼ同じ深さに窪んだ断面コ字形をしている。
突出部６９ａは、窪み６１ａのほぼ中央部に、窪み６１ａとほぼ同じ高さに上方に断面コ字形に突出したものである。
【００５３】
鍔６２ａは平板状であり、この窪み６１ａの両側に設けられている。そして、この窪み６１ａと突出部６９ａと鍔６２ａとは塩化ビニル樹脂被覆鋼板を折曲して成形したもので、下地材５ａの屋外側から屋内側までとほぼ等しい長さの長尺体である。
壁取付部６３ａは、窪み６１ａと突出部６９ａと鍔６２ａとからなる長尺体の屋内側に立設され、溶接で長尺体に取り付けられている。
水切り６４ａは、窪み６１ａから延設されたもので、窪み６１ａの屋外側から垂れ下げられている。
防水材７ａは、平板状の塩化ビニル樹脂被覆鋼板である。
【００５４】
カバー材８ａは、図９に示すように、本体８１ａと壁取付部８２ａとからなる。
本体８１ａは、平板状の塩化ビニル樹脂被覆鋼板であり、壁取付部８２ａは本体８１ａの屋内側に立設されたものである。
床仕上げ材９ａは合成樹脂製の人工芝である。
９５ａはシール材である。
【００５５】
次に、このバルコニー床４４ａの施工方法ついて説明する。
図７に示すように、床根太４３ａの上に下側下地材５１ａを取り付け、この下側下地材５１ａの上に、ほぼ中央に隙間を設けて上側下地材５２ａを取り付けて、この隙間に溝５３ａを形成した状態にして下地材５ａを設ける。
一方、図８に示すように、塩化ビニル被覆鋼板を断面コ字形に折り曲げて窪み６１ａと突出部６９ａと鍔６２ａとからなる長尺体とし、窪み６１ａの屋外側先端を下方に折り曲げて水切り６４ａを形成し、屋内側端部に壁取付部６３ａを溶接して取り付けて溝部取付材６ａを製造する。
【００５６】
又、塩化ビニル樹脂被覆鋼板を、図９に示すように、折り曲げて、本体８１ａと壁取付部８２ａとからなるカバー材８ａを製造する。
そして、壁取付部６３ａを屋内側に立設させ、水切り６４ａを屋外側に垂下させ、図７に示すように、窪み６１ａを下地材５ａの溝５３ａの中に挿入し、鍔６２ａを溝５３ａの周縁部の下地材５ａに載せて、溝部取付材６ａを下地材５ａの上に取り付ける。
この水切り６４ａの下方に軒樋を取り付ける。
【００５７】
次に、溝部取付材６ａの鍔６２ａの上にシール材９５ａを塗布し、防水材７ａを上側下地材５２の上に取り付ける。
この際、図７に示すように、防水材７ａの側縁部を、溝部取付材６ａの鍔６２ａの上を通って窪み６１ａの中にほぼ水平に突出させ、このシール材９５ａの上から防水材７ａの側縁部を溝部取付材６ａの鍔６２ａに押し付けて防水材７ａを溝部取付材６ａに接着する。
【００５８】
次に、防水材７ａの側縁部にシール材９５ａを塗布し、カバー材８ａを取り付ける。
この際、カバー材８ａの中央部を溝部取付材６ａの突出部６９ａの上に載せ、カバー材８ａの両側縁部をシール材９５ａの上から防水材７ａの側縁部に押し付けて、カバー材８ａを防水材７ａに接着する。
【００５９】
この防水材７ａとカバー材８ａの上に床仕上げ材９ａを敷いて、バルコニー床４４ａを製造する。
その他の施工方法、例えば、バルコニー床４４ａを使用してバルコニーを製造する製造方法、建物ユニット、屋根パネル等の製造方法は実施例１とほぼ同じであるので、説明を省略する。
このようにして製造したバルコニー床４４ａを備えたバルコニー、建物ユニット、屋根パネル等を、実施例１と同様にして、施工現場に運搬し、施工現場で建物ユニットに取り付けてユニット建物を完成する。
【００６０】
このようにして完成したユニット建物では、防水材７ａが側縁部を窪み６１ａの縁から窪み６１ａの中に突出させた状態にして下地材５ａと溝部取付材６ａの鍔６２ａの上に取り付けられているので、防水材７ａの上に降った雨水は溝部取付材６ａの窪み６１ａの中に落下し、この窪み６１ａの中を流れ、水切り６４ａから樋、縦樋を経て地上に流れ落ちる。
そして、この防水材７ａの側縁部は窪み６１ａの中にほぼ水平に突出しているので、防水材７ａが熱膨張収縮しても、この窪み６１ａの中に突出している長さが長くなったり短くなるだけである。
従って、長年月使用しても防水効果が低下しない。
【００６１】
又、溝部取付材６ａが、窪み６１ａを下地材５ａの溝５３ａの中に挿入し、鍔６２ａを溝５３ａの周縁部の下地材に載せた状態に、取り付けられているので、溝部取付材６ａは上方から溝部取付材６ａに力が加わっても窪み６１ａや鍔６２ａや突出部６９ａが下方に移動しない。
【００６２】
そして、カバー材８ａは、中央部を溝部取付材６ａの突出部６９ａに載せ、両側縁部を防水材７ａの側縁部の上に載せた状態に、取り付けられているので、カバー材８ａは、両側縁部が防水材７ａの側縁で支持され、中央部が、溝部取付材６ａの突出部６９ａに支持されていて、この溝５３ａの上方のカバー材８ａの上に人が載っても窪まないようにない。
【００６３】
又、カバー材８ａの上面は平らで、しかも、カバー材８ａの両側縁部が防水材５ａの側縁部の上に載っているので、平板状の防水材５ａとカバー材８ａの上面とは、カバー材８ａの厚みだけの凹凸があるがこの凹凸は極めて小さく、床面全体がほぼ平らな面となっていて歩き易い。特に、床仕上げ材９ａの上は歩き易い。
又、このバルコニー床４４ａの防水構造に使用する部材は、溝部取付材６ａ、防水材７ａ、カバー材８ａというように、数が少なく、しかも、この使用する部材が簡単な構造をしていて製造し易く便利である。
【００６４】
又、溝部取付材６ａの鍔６２ａと防水材７ａの側縁部との間と、防水材７ａの側縁部とカバー材８ａの間とにシール材９５ａが設けられているので、この溝部取付材６ａの鍔６２ａと防水材７ａの側縁部との間と、防水材７ａの側縁部とカバー材８ａの間の防水性能が更に向上するし、防水材７ａが移動しなくなる。
しかも、このシール材９５ａが長年月使用している間に劣化してシール材９５ａに亀裂が生じても、この亀裂を通して浸入する雨水は溝部取付材６ａの窪み６１ａの中に落下するので下地材５ａまで漏れることがないし、この亀裂から浸入する雨水は少なく、従って、大雨のときでも、溝部取付材６ａの窪み６１ａの中の雨水が溢れるということがない。
尚、この実施例２では、突出部６９ａを１条設けているが、２条以上設けてもよい。
【００６５】
【発明の効果】
請求項１記載の発明は、溝の深さとほぼ同じ深さに窪んだ窪みと、この窪みの両側に設けられた平板状の鍔とからなる長尺体の溝部取付材と、平板状の防水材と、平らな上面と、下面のほぼ中央に溝部取付材の窪みの深さとほぼ同じ長さに下方に突出した突出部とを有する長尺体のカバー材とからなり、前記溝部取付材が、窪みを下地材の溝の中に挿入し、鍔を溝の周縁部の下地材に載せた状態に、取り付けられ、前記防水材が、側縁部を窪みの縁から窪みの中に突出させた状態に、下地材と溝部取付材の鍔の上に、取り付けられ、前記カバー材が、突出部を窪みの中に挿入し、両側縁部を防水材の側縁部の上に載せた状態に、取り付けられているから、防水材の上に降った雨水は、溝部取付材の窪みの中に落下し、防水材が熱膨張収縮しても、この窪みの中に突出している長さが長くなったり、短くなるだけであって、長年月使用しても防水効果が低下しないし、カバー材は、両側縁部が下地材に沿っている溝部取付材の鍔に支持され、中央部の突出部が溝部の底面に沿っている溝部取付材の窪みに支持されていて、人が溝部の上方のカバー材の上に載っても窪まないようになっているし、床面全体が平らで歩き易い。
【００６６】
又、この請求項１記載の防水構造に使用する部材は、溝部取付材、防水材、カバー材というように、種類が少なく、しかも、簡単な構造をしていて製造し易く便利であるし、防水材が平板状で嵩張らず運搬し易い。
【００６７】
請求項２記載の発明は、溝の深さとほぼ同じ深さに窪んだ窪みと、この窪みの両側に設けられた平板状の鍔と、この窪みのほぼ中央に窪みの深さとほぼ同じ高さに上方に突出した突出部とからなる長尺体の溝部取付材と、平板状の防水材と、平板状長尺体のカバー材とからなり、前記溝部取付材が、窪みを下地材の溝の中に挿入し、鍔を溝の周縁部の下地材に載せた状態に、取り付けられ、前記防水材が、側縁部を窪みの縁から窪みの中に突出させた状態に、下地材と溝部取付材の鍔の上に、取り付けられ、前記カバー材が、中央部を溝取付部材の突出部に載せ、両側縁部を防水材の側縁部の上に載せた状態に、取り付けられているから、防水材の上に降った雨水は、溝部取付材の窪みの中に落下し、防水材が熱膨張収縮しても、この窪みの中に突出している長さが長くなったり、短くなるだけであって、長年月使用しても防水効果が低下しないし、カバー材は、両側縁部が下地材に沿っている溝部取付材の鍔に支持され、中央部が溝部に沿った溝部取付材の窪みから突出した突出部に支持されていて、人が溝部の上方のカバー材の上に載っても窪まないようになっているし、床面全体が平らで歩き易い。
【００６８】
又、この請求項２記載の防水構造に使用する部材は、溝部取付材、防水材、カバー材というように、種類が少なく、しかも、簡単な構造をしていて製造し易く便利であるし、防水材が平板状で嵩張らず運搬し易い。
【００６９】
さらに、本発明では、上記した発明に係り、前記溝部取付材の鍔と前記防水材の側縁部との間と、前記防水材の側縁部と前記カバー材の間とにシール材が設けられているので、この溝部取付材の鍔と防水材の側縁部との間と、防水材の側縁部とカバー材の間の防水性能が更に向上するし、防水材が移動しなくなる。しかも、このシール材が長年月使用している間に劣化し、シール材に亀裂が生じても、この亀裂を通して浸入する雨水は溝部取付材の窪みの中に落下するので下地材まで漏れることがないし、この亀裂から浸入する雨水は少なく、従って、大雨のときでも、溝部取付材の窪みの中の雨水が溢れるということがない。
【図面の簡単な説明】
【図１】本発明をユニット建物に採用した一実施例を示すもので、ユニット建物を示す斜視図である。
【図２】建物ユニットを示す一部切欠斜視図である。
【図３】図１のＡ−Ａ線における断面図である。
【図４】バルコニー床の溝部分を構成部材に分解した状態を示す断面図である。
【図５】溝部取付材の斜視図である。
【図６】カバー材の斜視図である。
【図７】本発明の他の一実施例を示すもので、バルコニー床の溝部分を構成部材に分解した状態を示す断面図である。
【図８】溝部取付材の斜視図である。
【図９】カバー材の斜視図である。
【符号の説明】
Ｕ                  ユニット建物
４                  バルコニー
４４、４４ａ        バルコニー床
５、５ａ            下地材
５３、５３ａ        溝
６、６ａ            溝部取付材
６１、６１ａ        窪み
６２、６２ａ        鍔
６９ａ              突出部
７、７ａ            防水材
８、８ａ            カバー材
８１１              突出部
９５、９５ａ        シール材
【図１】
0004351366.tif 000002
【図２】
0004351366.tif 000003
【図３】
0004351366.tif 000004
【図４】
0004351366.tif 000005
【図５】
0004351366.tif 000006
【図６】
0004351366.tif 000007
【図７】
0004351366.tif 000008
【図８】
0004351366.tif 000009
【図９】
0004351366.tif 000010